(57)【特許請求の範囲】
【請求項１】
タブストック上に印刷を要求する画像をプルーフするための方法であって、
プルーフモードを選択する工程と
前記プルーフモードの選択に応じて、タブストックでの印刷を要求する少なくとも１個の画像を有する画像データを供給する工程と、
前記少なくとも１個の画像を、少なくとも１枚の標準寸法の出力ストックに印刷するために修正する工程と、
少なくとも１枚の標準寸法の出力ストックに前記修正した少なくとも１個の画像を印刷する工程と、
を有し、
前記修正する工程は、前記少なくとも１個の画像を、第１の部分と、タブストックのタブ領域に印刷されるべき領域を含む第２の部分とに分別して記憶し、第２の部分の画像をタブ領域を表すように切り落とし、前記切り落とされた領域に、切り落とされた領域であることを示す表示を行うことにより、印刷時にどの領域がタブストックのタブ領域に相当するかが表示されるように処理することを含む、
画像プルーフ方法。
【請求項２】
印刷ジョブの出力シートを印刷するための電子複写印刷システムであって、
タブストック上に印刷を要求する少なくとも１個のタブ画像を有する印刷ジョブを記憶するための手段と、
少なくとも１枚のタブストックを有する出力ストックを選択するための手段と、
タブストック上での印刷を要求する少なくとも１個のタブ画像をプルーフするための手段であって、
前記記憶手段に記憶される、前記タブ画像を、第１の部分と、タブストックのタブ領域に印刷されるべき領域を含む第２の部分とに分別して記憶する手段と、
前記第２の部分の画像をタブ領域を表すように切り落とし、前記切り落とされた領域に、切り落とされた領域であることを示す表示を行うことにより、印刷時にどの領域がタブストックのタブ領域に相当するかが表示されるように処理する手段と、
を有する前記プルーフ手段と
前記タブ画像の第１の部分を第１の出力シートに出力し、また前記タブ画像の第２の部分を第２の出力シートに出力するための手段を有する、
電子複写印刷システム。
【請求項３】
前記第１および第２の部分の幅が標準寸法の出力ストックの幅であり、
前記第１の部分が、前記タブストックでの印刷を要求する画像の高さ方向の一辺から前記幅を持つ領域であり、
前記第２の部分が、前記一辺と対向する一辺から前記幅を持つ領域である、
請求項１の画像プルーフ方法。
【請求項４】
前記第１および第２の部分の幅が標準寸法の出力ストックの幅であり、
前記第１の部分が、前記タブストックでの印刷を要求する画像の高さ方向の一辺から前記幅を持つ領域であり、
前記第２の部分が、前記一辺と対向する一辺から前記幅を持つ領域であり、
前記第１および第２の出力シートが標準寸法の出力ストックである、
請求項２の電子複写印刷システム。
【発明の詳細な説明】
【０００１】
【産業上の利用分野】
本発明は印刷ジョブの印刷をプルーフ（校正刷り）するための印刷システムに関する。特に、本発明はタブストック上で印刷されることになる画像の印刷をプルーフすることに関する。
【０００２】
【従来の技術】
現在の印刷システムは、印刷される画像に対応する出力文書を用いて印刷ジョブの印刷をすることができる。例えば、シフトされた画像又はタブを印刷するためのタブマスタが印刷ジョブ内に出現すると、これらの画像に対する出力ストックはタブストックとなる。現在、ユーザが印刷ジョブ、又はタブ出力ストックを必要とする画像のプルーフを試みる場合、システムはディスプレイ上にタブストックをプルーフできないことを表示して、プルーフジョブが停止することになる。不都合なことに、タブストックを備えた印刷ジョブのプルーフは不可能であり、標準印刷法を使用せざるを得ない。このため、ユーザは高価なカスタムタブストックに印刷して、印刷ジョブが正しいか、また所望されるものであるかを判断しなければならない。これは資源を非効率的に消耗させることになる。
【０００３】
従って、タブストック上の印刷のためのタブ画像を含む印刷ジョブをプルーフできることが必要となる。本発明は、タブストックを必要とする印刷ジョブのプルーフを可能にさせることによってこうした問題を克服する。さらに、本発明は標準出力ストック上でタブ画像のプルーフを可能にすることにより、浪費を軽減するものである。
【０００４】
【発明が解決しようとする課題】
このため、本発明の目的は、タブストック上に印刷のためのタブ画像を有する印刷ジョブのプルーフを可能にする印刷システムを提供することである。
【０００５】
本発明の別の目的は、標準出力ストックにおいてタブ画像のプルーフを実行することである。
【０００６】
本発明のさらに別の目的は、タブ上の情報が正確に位置指定され且つ位置付けられるかどうかをオペレータが検査することのできる標準出力ストック上のプリントアウトをユーザに提供することである。
【０００７】
【課題を解決するための手段】
これらの及びその他の目的は、タブストック上の印刷のための画像を有する印刷ジョブのプルーフのための印刷システムを提供することによって実施される。さらに、本発明は標準出力ストックにおけるタブ画像のプルーフを実行する。上記システムは、タブ画像を含む、印刷ジョブの画像を電子的に記憶するためのメモリと、電子画像を標準出力ストックに印刷することによってタブストック上の印刷のための画像をプルーフするためのプルーフモードを有する。さらに上記システムは、ユーザがタブ画像を有する全体の印刷ジョブをプルーフすることができるように、１枚又は２枚の標準出力ストックにタブ画像を印刷することが可能である。
【０００８】
本発明の一態様は、タブストック上に印刷を要求する画像をプルーフするための方法であって、
プルーフモードを選択する工程と
前記プルーフモードの選択に応じて、タブストックでの印刷を要求する少なくとも１個の画像を有する画像データを供給する工程と、
前記少なくとも１個の画像を、少なくとも１枚の標準寸法の出力ストックに印刷するために修正する工程と、
少なくとも１枚の標準寸法の出力ストックに前記修正した少なくとも１個の画像を印刷する工程と、
を有し、
前記修正する工程は、前記少なくとも１個の画像を、第１の部分と、タブストックのタブ領域に印刷されるべき領域を含む第２の部分とに分別して記憶し、第２の部分の画像をタブ領域を表すように切り落とし、前記切り落とされた領域に、切り落とされた領域であることを示す表示を行うことにより、印刷時にどの領域がタブストックのタブ領域に相当するかが表示されるように処理することを含むことを特徴とする。
【０００９】
本発明の別の一態様は、印刷ジョブの出力シートを印刷するための電子複写印刷システムであって、
タブストック上に印刷を要求する少なくとも１個のタブ画像を有する印刷ジョブを記憶するための手段と、
少なくとも１枚のタブストックを有する出力ストックを選択するための手段と、
タブストック上での印刷を要求する少なくとも１個のタブ画像をプルーフするための手段であって、
前記記憶手段に記憶される、前記タブ画像を、第１の部分と、タブストックのタブ領域に印刷されるべき領域を含む第２の部分とに分別して記憶する手段と、
前記第２の部分の画像をタブ領域を表すように切り落とし、前記切り落とされた領域に、切り落とされた領域であることを示す表示を行うことにより、印刷時にどの領域がタブストックのタブ領域に相当するかが表示されるように処理する手段と、
を有する前記プルーフ手段と
前記タブ画像の第１の部分を第１の出力シートに出力し、また前記タブ画像の第２の部分を第２の出力シートに出力するための手段、を有することを特徴とする。
【００１０】
【実施例】
本発明は、どんな型の再生又は印刷システムでの使用が可能であるが、図示の便宜上、以下の記載は印刷システムに関連して本発明を説明するものである。
【００１１】
図１と図２を参照すると、本発明の教示に従って印刷ジョブを処理するための、一例としてのレーザベースの印刷システム２が示されている。印刷システム２は説明上、スキャナ部６、コントローラ部７、及びプリンタ部８に分けられる。特定の印刷システムが示され且つ説明されるが、本発明は、インクジェット、イオノグラフィ等の他の種類の印刷システムで使用することもできる。
【００１２】
特に図２乃至図４を参照すると、スキャナ部６は、走査される文書２２が配置される透明プラテン２０を組み込む。１個以上のリニアアレイ２４はプラテン２０の下側で走査運動を往復実施するために支持される。レンズ２６及びミラー２８、２９、３０は共動することによって、プラテン２０のセグメントのようなライン上、及びその上で走査されている文書上にアレイ２４を焦点合わせする。アレイ２４は、画像信号、又は、プロセッサ２５による適切な処理後にコントローラ部７へ出力される走査済みの画像を表示する画素を提供する。
【００１３】
プロセッサ２５は、アレイ２４によって出力されるアナログ画像信号をディジタルに変換し、プログラムされたジョブを実行するのに必要な形式においてシステム２が画像データを記憶し且つ処理できることが要求されるように、その画像信号を処理する。プロセッサ２５はさらに、フィルタリング、しきい値分け（処理）、スクリーニング、クロッピング、又は縮小／拡大等、画像信号に対する拡張（強調）及び変化を提供することもできる。ジョブプログラムにおける変化及び調整の後で、文書を再走査する必要がある。
【００１４】
走査される文書２２は、再循環式文書処理（ＲＤＨ）モード又は半自動文書処理（ＳＡＤＨ）モードの何れかにおいて作動可能な自動文書ハンドラ（ＡＤＦ）３５による走査のためにプラテン２０上に配置してもよい。ブックモード及びコンピュータフォームズフィーダ（ＣＦＦ）モードを有する手動モードも実施され、後者はコンピュータファンフォールドの形式で文書を収容する。ＲＤＨモード操作では、文書ハンドラ３５は、文書２２がスタック式又はバッチ式に配列されている文書トレイ３７を有する。トレイ３７内の文書２２は、真空フィードベルト４０、文書フィードロール４１、及び文書フィードベルト４２によって、アレイ２４によって文書が走査されるプラテン２０上に進められる。走査の後に、文書はベルト４２によってプラテン２０から取り除かれて、文書フィードロール４４によってトレイ３７に戻される。
【００１５】
ＳＡＤＨモードでの動作では、文書エントリスロット４６は、トレイ３７とプラテン２０の間の文書フィードベルト４２へのアクセスを付与し、個々の文書は文書フィードベルト４２を介してプラテン２０へ転送すべく手動で挿入することもできる。スロット４６の背後のフィードロール４９は、フィードベルト４２とプラテン２０に文書を係合且つ供給するためのニップを形成する。走査の後に、文書はプラテン２０から取り除かれて、キャッチトレイ４８に排出される。
【００１６】
ＣＦＦモードにおける動作では、コンピュータフォームズ材料はスロット４６を介して供給されてフィードロール４９によって文書フィードベルト４２に進められ、文書フィードベルト４２はファンフォールド（折りたたみ紙）材料のページをプレート２０上の位置に進める。
【００１７】
図２及び図３を参照すると、プリンタ部８はレーザ型プリンタを有し、説明上、ラスタ出力スキャナ（ＲＯＳ）部８７、印刷モジュール部９５、用紙供給部１０７、及び仕上げ部１２０に分けられる。ＲＯＳ８７はレーザ９１を有し、そのビームは２つの画像形成ビーム９４に分割される。各ビーム９４は、２つの画像形成ビーム９４を供給すべく音響−光学的変調器９２によって入力される画像信号の内容に従って変調される。ビーム９４は回転ポリゴン１００の鏡面によって印刷モジュール９５の可動受光体９８にわたって走査され、各走査ごとに受光体９８上で２本の画像ラインを露光することによって、変調器９２に入力された画像信号によって表示される静電潛像を生成する。受光体９８は、画像形成ビーム９４による露光の準備として、帯電部においてコロトロン１０２によって均一に帯電される。静電潛像は現像剤１０４によって現像されて、転写部１０６において用紙供給部１０７によって転送される印刷媒体１０８に転写される。媒体１０８は明らかに、種々の大きさ、形状、及び色の何れのものでもよい。転写について、印刷媒体は、用紙トレイ１１０、もしくは補助用紙トレイ１１２又は１１４からの受光体９８上の現像済み画像と時間的に位置合わせされて前方へ進められる。印刷媒体１０８に転写された現像済み画像は定着装置（フューザ）１１６によって永続的に付着又は定着されて、結果として得られるプリントは出力トレイ１１８又は仕上げ部１２０の何れかに排出される。仕上げ部１２０は、本を作成したり、プリントを接合して製本するためのサーマルバインダ１２４を作成するためにプリントをステッチング又はステープルで綴じるためのステッチャー１２２を有する。
【００１８】
図１、図２、図５乃至図７を参照すると、コントローラ部７は説明上、画像入力コントローラ５０、ユーザインタフェース（ＵＩ）５２、システムコントローラ５４、主記憶装置５６、画像処理部５８、及び画像出力コントローラ６０に分けられる。
【００１９】
特に図５乃至図７を参照して、制御部７は、一対のメモリバス７２、７４によって相互に結合され且つシステムメモリ６１に結合される、複数の印刷配線板（Printed Wiring Boards 、即ち、ＰＷＢ）７０を有する。メモリコントローラ７６はシステムメモリ６１をバス７２、７４に結合する。ＰＷＢ７０は、複数のプロセッサ７８を有するシステムプロセッサ７０−１、データをＵＩ５２から、またＵＩ５２へ転送するためのＵＩ通信コントローラ８０を有する低速Ｉ／ＯプロセッサＰＷＢ７０−２、主記憶装置５６のディスク９０−１、９０−２及び９０−３の間でそれぞれデータを転送するためのディスクドライブコントローラ／プロセッサ８２を有するＰＷＢ７０−３、７０−４及び７０−５（画像データを圧縮するための画像圧縮器／プロセッサ５１はＰＷＢ７０−３上にある）、画像処理部５８の画像処理プロセッサを備えた画像処理ＰＷＢ７０−６、プリンタ部８による印刷のために画像データを処理するための画像生成プロセッサ８６を備えた画像生成プロセッサＰＷＢ７０−７及び７０−８、プリンタ部８への及びプリンタ部８からのデータの転送を制御するためのディスパッチプロセッサ８８と８９を有するディスパッチプロセッサＰＷＢ７０−９、及びブート制御アービトレーションスケジュラーＰＷＢ７０−１０を有する。
【００２０】
スキャナ部６のプロセッサ２５からコントローラ部７へ入力される走査された画像データは、ＰＷＢ７０−３上で画像入力コントローラ５０の画像圧縮器／プロセッサ５１によって圧縮される。画像データは圧縮器／プロセッサ５１を通過するとともに、Ｎ本の走査線幅によりスライスにセグメント化され、各スライスはスライスポインタを有する。圧縮画像データはスライスポインタ、及び画像特定情報を提供する関連画像記述子とともに（例えば、画素内の文書の高さと幅、使用される圧縮方法、圧縮画像データへのポインタ、画像スライスポインタへのポインタ等）は、画像ファイルに配置される。異なる印刷ジョブを表示する画像ファイルはシステムメモリ６１に一時的に記憶され、システムメモリ６１は、使用までデータが保持される主記憶装置５６への転送を保留するランダムアクセスメモリ又はＲＡＭを有する。
【００２１】
図１において最もよく理解されるように、ＵＩ５２は、対話型タッチスクリーン６２、キーボード６４、マウス６６から成る複合型オペレータ・コントローラ／ＣＲＴディスプレイを有する。ＵＩ５２はオペレータを印刷システム２とインタフェースさせて、オペレータが印刷ジョブと他の命令をプログラムし、システムオペレーティング情報、命令、プログラミング情報、診断情報等を獲得することを可能にする。ファイル及びアイコン等のタッチスクリーン６２に表示される項目は、指でスクリーン６２上の表示項目をタッチしたり、又はマウス６６を使用してカーソル６７を選択項目に指し示してマウスをキー入力することによって起動される。
【００２２】
主記憶装置５６は、マシン操作システムソフトウェア、マシン操作データ、及び現在処理中の走査画像データを記憶するための複数のハードディスク９０−１、９０−２、９０−３を有する。
【００２３】
主記憶装置５６内の圧縮画像データがなお一層の処理を必要とする場合、圧縮画像データがＵＩ５２のタッチスクリーン６２上のディスプレイに必要とされる場合、又はプリンタ部８によって必要とされる場合、データは主記憶装置５６でアクセスされる。プロセッサ２５によって実行される以外の更なる処理が要求される場合、データは、照合、準備、圧縮解除等の追加の処理が実行されるＰＷＢ７０−６上の画像処理部５８に転送される。処理の後に、データは主記憶装置５６に戻されたり、タッチスクリーン６２上での表示のためにＵＩ５２に送られたり、又は画像出力コントローラ６０に送られたりする。
【００２４】
画像出力コントローラ６０に出力される画像データは圧縮解除されて、ＰＷＢ７０−７、７０−８（図５参照）の画像生成プロセッサ８６による印刷に準備される。この後で、データはＰＷＢ７０−９のディスパッチプロセッサ８８、８９によってプリンタ部８へ出力される。印刷のためにプリンタ部８へ送信される画像データは通常、メモリ５６から消去（パージ）されて新しいデータのために場所をあけることになる。
【００２５】
特に図８を参照すると、システム制御信号は複数の印刷配線板（ＰＷＢ）を介して分散される。これら信号は、種々の入出力（Ｉ／Ｏ）ＰＷＢ１３８とともに、ＥＤＮコアＰＷＢ１３０、マーキング画像形成コアＰＷＢ１３２、用紙処理コアＰＷＢ１３４、及び仕上げバインダコアＰＷＢ１３６を有する。システムバス１４０はコアＰＷＢ１３０、１３２、１３４、１３６を相互に、またコントローラ部７に結合し、一方、ローカルバス１４２は、入出力ＰＷＢ１３８を相互に、またそれらの関連コアＰＷＢと結合させる働きをする。
【００２６】
マシンがパワーアップされると同時に、オペレーティングシステムソフトウェアはメモリ５６からＥＤＮコアＰＷＢ１３０へ、またメモリ５６から残りのコアＰＷＢ１３２、１３４、１３６へバス１４０を介してロードされ、各コアＰＷＢ１３０、１３２、１３４、１３６は、オペレーティングシステムソフトウェアのＰＷＢへのダウンロード、故障検出等を制御するためのブートＲＯＭ１４７を有する。ブートＲＯＭ１４７はさらに、オペレーティングシステムソフトウェアの伝送と、バス１４０を介したＰＷＢ１３０、１３２、１３４、１３６間におけるデータの制御と、ローカルバス１４２を介した複数の入出力ＰＷＢ１３８間におけるデータの制御を可能にする。追加のＲＯＭ、ＲＡＭ、及びＮＶＭメモリ型はシステム２内の種々の位置に存在している。
【００２７】
図９を参照すると、ジョブがジョブプログラムモードにおいてプログラムされ、このモードでは、ジョブチケット１５０とプログラム化中のジョブのジョブスコアカード１５２がタッチスクリーン６２上に表示されている。ジョブチケット１５０はプログラムされる種々のジョブ選択を表示し、一方、ジョブスコアカード１５２はジョブを印刷するためのシステムに対する基本命令を表示する。
【００２８】
タブ出力ストック上のタブ画像の印刷に関する以下の説明は図示の便宜上のためであり、本発明の範囲を少しも限定するものではない。
【００２９】
電子画像が生成される前か、その後で（例えば、スキャナ６で文書を走査することによって）、システムオペレータは、どの電子画像又はオリジナル文書（原稿）が可変画像シフトを受け取ることになるかを特定する必要がある。タブ上での印刷の場合、例えば、システムオペレータは、出力ストックがコントローラ７内のＵＩ５２におけるタブであるように入力することができる。システムオペレータは、走査前にタブを特定し、文書を走査して電子画像を生成し、タブ上に電子画像を印刷し、さらに出力ストックを走査ブロックの残りに対する標準出力ページに再指定することができる。タブを特定することによって、コントローラ７は電子画像に画像シフトを自動的に適用する。
【００３０】
他の場合に、システムオペレータは全体の走査ブロックを最初に走査し、次にユーザインタフェース５２を介して異なるサイズの出力ストック上で（即ち、可変画像シフトで）印刷される特定の電子画像を選択することができる。このモードでは、システムオペレータはユーザインタフェース上の電子画像を観察して、フルカット又はプレカットタブ等の特定の型の出力ストックを特定し、さらには、特定の寸法の入力及び出力ストックを入力することもできる。
【００３１】
オリジナル文書のサイズ及び出力文書のサイズは、画像シフトの程度が入出力文書の各サイズの差に依存しているために、特定する必要がある。所望であれば、省略時パラメータを予めプログラミングすることが可能であり、ここではコントローラ７はシステムオペレータがこの情報を入力できなかった場合に入出力文書の各サイズを自動的に指定する。
【００３２】
例えば、タブに対してサイズ依存の画像シフトを有することの１つの利益は、全体の印刷ジョブが一度に走査できるということである。このため、印刷ジョブを有するページとタブ上で印刷されるページを別個に走査する必要はない。タブの特定の画像シフトでは、出力文書が画像シフトの度合いが異なった、種々のサイズのページを有するとしても、すべてのオリジナル文書を標準サイズのページから迅速且つ効率的に走査することができる。
【００３３】
図１０には、白色の９×１１のプレカットタブが選択されたユーザインタフェース５２からのスクリーンが示されている。この用紙供給スクリーンでは、印刷ジョブのストックのサイズ、色、及び種類を選択することができる。システムオペレータは、特定のページ又はページ画像を指定することによって印刷ジョブ内にプレカットタブの位置を表示したり（前走査又は後走査）、又はタブ間のページの正確な数を指定することができる（コントローラ７は、いつタブが印刷されるかを判断するためにコピーの数をカウントする適切なカウンタを有する）。コントローラには、入力文書の寸法、タブサイズに関する省略時パラメータを設けたり、もしくはシステムオペレータは印刷前にストック寸法を特定したりすることもできる。
【００３４】
オリジナルとタブのサイズの差は、画像がタブ延長上でシフトされなければならない距離である。この可変画像シフトによって、所望であれば入力ストックのある標準サイズのオリジナル文書からの走査が効率的に実施される。例えば、オリジナルページが８1/2 ( ２１．５９cm）×１１（２７．９４cm）インチの用紙（シート）であり、また出力ストックが８1/2 （２１．５９cm）×１１（２７．９４cm）インチの用紙で９（２２．８６cm）×１１（２７．９４cm）インチのタブになる場合、２つの別個の走査ブロックが要求されないようにすべてのオリジナル文書（タブオリジナルを含む）が同一サイズの用紙から走査されると、印刷ジョブをより効率的に走査することができる。
【００３５】
サイズ依存の画像シフトを有することの別の利益は、異なるサイズの文書（例えば、印刷システムの異なるモードから走査される文書）からの走査を容易に行なうことである。例えば、システムオペレータは、あるモード、例えば、再循環式文書ハンドラ（ＲＤＨ）、から走査し、プラテンモードにシフトし、半自動文書ハンドラ（ＳＡＤＨ）に送られ、ＲＤＨに戻される、等を望むこともある。タブオリジナルからの画像はディジタル式に記憶されるので、オリジナルを走査するモードはこのように変更させることができ、文書のみを印刷ジョブ間にいったん走査する必要がある。このように、走査画像が、（例えば、標準事前選択距離のシフトよりもむしろ）オリジナル及び出力文書の大きさで決定される可変距離だけシフトされることがより望ましいとされるのは、異なるモードからの走査によって入力文書が異なるサイズになり得るからである。
【００３６】
このように、例えば、コントローラが標準事前選択距離だけページ画像をシフトする代わりに、タブ上の画像が正確な位置にあることを保証するためにタブ上で印刷される場合、その差は、入出力ストックの各サイズの差として計算され、画像はコントローラによってそれ相応にシフトされる。一例として、図１１では、文書記述（例えば、オリジナル文書の幅Ｙ）が、走査画像が印刷されるタブ幅Ｘよりも小さい場合、画像はコントローラ７によって、タブストックのタブを有する側（図では上下方向の上側）に２つの文書の幅の差（Ｘ−Ｙ）に等しい距離だけシフトされることになる。一方、図１２では、文書記述幅Ｘがタブ幅Ｙよりも広い場合、画像はコントローラ７によって、タブストックのタブを有しない側（図では下側）にシフトされることになる。コントローラ７が自動可変画像シフトを計算する場合、最後に選択された文書記述又はクロップサイズ及び用紙ストックをこの計算に使用することになる。
【００３７】
タブの自動画像シフトは全体の印刷ジョブに適用される画像シフトと関連して使用することができる。このように、印刷ジョブの標準画像シフトを、ここに記載されるように、標準印刷ジョブ画像に優先する可変シフトによって、自動画像シフトと関連して使用することができる。システムオペレータは画像シフトを再プログラミングすることによってタブのジョブ画像シフトを再特定することができる。タブストック選択が起動されなくなると、オペレータがタブの画像シフトの量だけ変化させない場合に限り、タブの自動画像シフトは取り除かれることになる。このように、タブ画像シフトがシステムオペレータによって変更されると、変更した画像シフトが残ることになる。
【００３８】
本発明は対応垂直画像シフトによって文書高さの差に等しく適用できる。本発明はさらにタブ上での印刷に適用できるものとして説明されているが、画像シフトは印刷ジョブの残りと寸法上異なる出力ストックに適用できる。
【００３９】
さらに、どのオリジナル文書画像が可変的にシフトされるかを識別する他の方法は、例えば、オリジナル文書画画像のページ番号を指定したり、又は電子的可読コードからの画像シフトを自動的に決定することによって、想定される。さらに、本発明は、複写システム位置でスキャナで直接走査することによって生成された電子画像をシフトすることに適用可能であるとして説明されている。しかしながら、本発明は遠隔ユーザワークステーションを備えたネットワーク化複写（複製）システムでの使用に適用可能である。
【００４０】
いったんシステムオペレータが画像を走査して記憶し、画像を印刷するためのタブ出力ストックを指定したり、又は全体の走査部を走査してＵＩ５２を介してタブストック上で印刷されるべき特定の電子画像を選択すると、システムオペレータはシステムを作動させて文書をプルーフする。過去に、この動作によって、要求される出力ストックのサイズによってプルーフが利用できないことをシステムが表示することがあった。しかしながら、本発明によると、システムオペレータはタブストックを要求する画像の印刷をプルーフすることができる。
【００４１】
図１３には、従来の画像のプルーフのフローチャートが示されている。図１３には、いったんプルーフモード（Ｓ１）が選択されると、印刷ジョブがタブストック上での印刷用の画像を少なくとも１つ有する場合（Ｓ２とＳ２′）、メッセージはＵＩ５２で表示され（Ｓ３）、例えば、光又は読み出しによって、タブストック上でプリントアウトを必要とする画像がプルーフできずに、プルーフジョブが中止されることを指示する（Ｓ４）。従って、従来の配列では、印刷ジョブがタブストック上でのプリントアウトのための電子画像を含まない場合、印刷ジョブをプルーフすることができる。標準ストック上での印刷を要求する画像のプルーフは、主記憶装置５６からの記憶画像をシステムメモリ６１に複写することを含む（Ｓ５）。システムメモリ６１では、印刷ジョブは単一のプルーフジョブになるように修正されたり（Ｓ６′）、又は現行画像を参照するために修正される（Ｓ６）。単一のプルーフジョブ又は単一の画像は主記憶装置５６に記憶され（Ｓ６及びＳ６′）、プリンタ部８に提示され（Ｓ７）、さらに出力シートに印刷される（Ｓ８）。単一のプルーフジョブ内の電子画像はさらに主記憶装置５６から削除される（Ｓ９）。
【００４２】
本発明に従って、タブストック上で印刷を要求する画像のプルーフは、図１４乃至図１６に示されるフローチャートを参照して説明される。プルーフモード（Ｓ１０）を選択し、画像の少なくとも１つがタブストック上でのプリントアウトを要求することを判断した（Ｓ１１及びＳ１１′）後で、オペレータは標準出力ストックの１ページ又は２ページにおいて画像をプルーフするように選択する（Ｓ１２）。
【００４３】
図１５は、標準出力ストックの２枚のシートにおける本発明による画像のプルーフの動作を示している。印刷ジョブ内の各画像ごとの画像特定情報（画像特定情報についての前述の説明を参照）はＳ１３に示されるようにシステムメモリ６１に順次複写される。特に、画素内の文書の高さと幅、及びＮ本の走査線幅による画像のスライスへのセグメント化が記憶される。システムは更に、画像がタブストックを必要とするかどうかを決定する（Ｓ１４）。次に、システムメモリ６１は、タブストック上での印刷を要求する画像の順次係数（Ｓ１５）を記憶するためにプログラムされるマシンオペレーティングシステムソフトウェアを有する。このシーケンスは、タブ−エッジアートワーク（後述）がタブ領域の位置を表示するために適用可能であるように記憶される。さらに、要求された画像がプルーフジョブの一部であるかどうかが判断される（Ｓ１６）。ＮＯの場合、システムはジョブ内の画像の終わりまで継続実行する（Ｓ１７、Ｓ１８）。ＹＥＳの場合、プルーフのための各タブ画像はＳ１９、Ｓ２０に示されるように生成される２つの新しい画像を有する。Ｓ１９に示されるように、画像の第１の部分が識別される。画像に対応するシステムメモリ６１内の画像特定情報は画像の第１の幅を参照するためにさらに処理される。この第１の幅は好ましくは、標準出力ストックの幅に相当し、これは８．５インチ（２１．５９cm）であり、従って、画像の第１の８．５インチとなる。画像のこの第１の部分は主記憶装置５６のディスクに記憶される。
【００４４】
図１５のＳ２０に示されるように、画像の第２の部分を形成するように画像は処理される。この工程では、画像は主記憶装置５６でアクセスされて、処理のために画像処理（操作）部５８に転送される。画像処理部５８は画像をクロップ、即ち切り落とし、これによって画像の第２の部分を形成する。第２の部分は好ましくは、画像の幅の最後の８．５インチである。さらに、画像処理システム５８は単一のページビットマップ及びグラフィックスの何れか一方を用いてタブ−エッジアートワーク２１４を適用する。画像処理システム５８は、印刷のために選択された特定のタブストック、及び印刷中のタブの位置に従ってタブ−エッジアートワーク２１４を適用するようにプログラムされる。タブ−エッジアートワーク２１４は、タブストック上で遮断（カットオフ）された領域であり、標準出力ストック上の領域にわたって印刷されることによってタブ領域２１６を概略表示する。画像処理システム５８は、使用中のタブストックの特定のカット、及び印刷中のタブの位置に関する情報のための主記憶装置５６にアクセスする。例えば、１／３カットタブストックは、９インチ（２２．８６cm）×１１インチ（２７．９４cm）の大きさの標準ピースのタブストックの長さに沿って適合する３つのタブを意味する。１／３カットタブストック内の各タブはこのため、1/2 インチ（１．２７cm）幅×３1/3 インチ（８．４６６cm）長さとなる。
【００４５】
Ｓ２１に示されるように、画像の第２の部分の情報はシステムメモリで生成されて、特定の情報を有し且つ対応付けられる新しい第２の部分の画像ビットマップを備えた新しい第２の部分画像として記憶される。最後に、Ｓ１４内の画像がタブストックを要求しない場合、全体のジョブがプルーフされるかどうかが判断される（Ｓ２２）。ＹＥＳの場合、その画像はディスクに記憶され（Ｓ２３）、ＮＯの場合、システムは次の画像に対し継続実行する（Ｓ１７）。
【００４６】
２枚の標準出力シートの配置を示すために、図１８には、タブストック上での印刷のための画像２００が示される。図１８と図１９を参照すると、画像２００は一実施例に従って、２シートの標準出力ストックに印刷されて単一の画像２００をプルーフする。標準出力ストックの第１のシート２０４では、画像２００の第１の部分２０２が印刷される。標準出力ストックの第２のシート２１８では、画像２００の第２の部分２０６が印刷される。タブ−エッジアートワーク２１４はタブ領域２１６を示すために適用される。
【００４７】
画像２００の外形図を作成するために、システムオペレータは第１と第２のシート２０４と２１８を調整し、これによって画像２００のプリントアウトを作成するために第１と第２の部分２０２、２０６をラインアップさせることができる。
【００４８】
図１６のフローチャートによって示される別の実施例では、タブストックを要求する画像は単一の標準出力シート上でプルーフされる。タブストックを要求する画像がプルーフジョブの一部であることが判断される（Ｓ１６）まで、すべての工程は図１５の実施例と同一である。Ｓ１６がＹＥＳの場合、Ｓ２４に示されるように、プルーフジョブの一部としてプルーフされる各画像ごとに、画像は画像処理部５８に転送される。画像のビットマップはさらに軸方向に基準化される。タブストック上の印刷を要求する画像に対して、画像のビットマップは、標準出力ストックのシートに全体的に適合するようにｘ軸に沿った方向で１５／１６だけ基準化されなければならない。基準化は既知の方法によって実行される。図示の便宜上、１５／１６の基準化では、画像の１６番目の走査線ごとにスキップされ、これによって標準出力ストック上での印刷のための幅を狭小化する。Ｓ２５が示すように、タブエッジアートワークは対応付けられるビットマップに記憶されて、標準サイズのシートに印刷されるとタブ領域及び位置を表示する。画像特定情報はシステムメモリ６１内の基準化画像に対して生成される。このため、新しい基準化プルーフ画像は、対応付けられる新しい基準化プルーフビットマップとともに、主記憶装置５６のディスクに記憶される。
【００４９】
図２０を参照すると、画像２００の幅を１５／１６の因数（ファクタ）だけ基準化することによって、基準化画像２０８はプルーフのための標準出力ストックの単一のシート２２０に包含される。基準化タブ−エッジアートワーク２１０は基準化タブ領域２１２を示すために適用される。
【００５０】
図１７は、標準出力ストック上でタブ画像２００をプルーフするための実施例に関して、ハードコピープルーフセット（Ｓ２７）を印刷するためのプリンタ部８に対してプルーフジョブを提示する（Ｓ２６）ことを示している。さらに、個々の情報及びビットマップを備えた各プルーフ画像がシステムメモリ６１に複写される（Ｓ２８、Ｓ２９）。プルーフ画像ビットマップがプルーフのためにのみ生成される場合（Ｓ２９）、それは主記憶装置５６のディスクから削除される（Ｓ３０）。プルーフジョブにさらに多くの画像がある場合（Ｓ３１）、システムは次のページに対し継続実行する（Ｓ３２）。ＮＯの場合、システムはプルーフジョブ情報を削除する（Ｓ３３）。
【００５１】
標準出力ストックの２枚のシート上に印刷するための実施例はタブストックを変更することを含むことは、本発明の範囲内に含まれる。タブストック情報を調整することによって、プルーフされる画像の所望の部分を印刷し、対応付けられるビットマップを生成してタブ−エッジアートワークが正確に設けられるように、画像処理部５８及びシステムメモリ６１は適合される。
【００５２】
【発明の効果】
本発明は上記のように構成されているので、タブストックを必要とする印刷ジョブのプルーフを可能にすることによって、タブストックでの印刷のためのタブ画像を有する印刷ジョブのプルーフを実行できるという効果を有する。
【図面の簡単な説明】
【図１】本発明の印刷媒体識別システムを組み込んだ電子印刷システムを描画した図である。
【図２】図１に示された印刷システムの主要構成要素を表わしたブロック図である。
【図３】図１に示された印刷システムの主要機械的構成要素を表わした平面図である。
【図４】図１に示された印刷システムの文書スキャナの特定の構成詳細を示した概略図である。
【図５】図１に示された印刷システムの制御部の主要部分を示した概略ブロック図の一部を示す図である。
【図６】図１に示された印刷システムの制御部の主要部分を示した概略ブロック図の一部を示す図である。
【図７】図１に示された印刷システムの制御部の主要部分を示した概略ブロック図の一部を示す図である。
【図８】図１に示された印刷システムの印刷配線板と共用ラインとを備えた、オペレーティングシステムのブロック図である。
【図９】図１に示された印刷システムのユーザインタフェース（ＵＩ）タッチスクリーン上に表示された一例としてのジョブプログラミングチケット及びジョブスコアカードを表わした図である。
【図１０】出力ストックとして選択されたプレカットタブを備えたユーザインタフェースタッチスクリーンを示す図である。
【図１１】オリジナル文書とタブの幅の差に等しい距離だけ右側に移動した画像の、プレカットタブ上の画像シフトを示す図である。
【図１２】オリジナル文書とタブの幅の差に等しい距離だけ左側に移動した画像の、プレカットタブ上の画像シフトを示す図である。
【図１３】従来のプルーフのフローチャートである。
【図１４】本発明によるプルーフのフローチャートである。
【図１５】２枚の標準出力ストックにおけるプルーフのための、図１４のフローチャートのＡの部分を示す図である。
【図１６】１枚の標準出力ストックにおけるプルーフのための、図１５のフローチャートのＢの部分を示す図である。
【図１７】標準出力ストックにおける本発明による印刷のための図１５及び図１６のＣの部分を示す図である。
【図１８】出力シート上に印刷されるタブ画像の第１の部分を備えた出力シートを示す図である。
【図１９】出力シート上に印刷され且つタブ−エッジアートワークを含むタブ画像の第２の部分を備えた出力シートを示す図である。
【図２０】基準化及び印刷されるタブ画像を備えた１枚の出力シートの別の実施例を示す図である。
【図１】
0003691858.tif 000002
【図２】
0003691858.tif 000003
【図３】
0003691858.tif 000004
【図４】
0003691858.tif 000005
【図５】
0003691858.tif 000006
【図６】
0003691858.tif 000007
【図７】
0003691858.tif 000008
【図８】
0003691858.tif 000009
【図９】
0003691858.tif 000010
【図１０】
0003691858.tif 000011
【図１１】
0003691858.tif 000012
【図１２】
0003691858.tif 000013
【図１３】
0003691858.tif 000014
【図１４】
0003691858.tif 000015
【図１５】
0003691858.tif 000016
【図１６】
0003691858.tif 000017
【図１７】
0003691858.tif 000018
【図１８】
0003691858.tif 000019
【図１９】
0003691858.tif 000020
【図２０】
0003691858.tif 000021